(57)【要約】【課題】格別な機構を必要とせずにピックアップの対物レンズを自動的にクリーニングすることができるディスク装置を得ることにある。【解決手段】ディスク載置用のターンテーブル５およびピックアップ６が搭載されて装置筐体１内に軸支され、ディスク再生位置と退避位置とにスイング駆動されるディスク再生用レバー３を備えたディスク装置において、前記ディスク再生用レバー３のスイング動作時に前記ピックアップ６の対物レンズ６ａをクリーニングするクリーニング部材１１を、前記装置筐体１内における前記対物レンズ６ａの移動軌跡上に固定配置したものである。【選択図】図２
2007172705.tif 000002
【特許請求の範囲】
【請求項１】
ディスク載置用のターンテーブルおよびピックアップが搭載されて装置筐体内に軸支され、ディスク再生位置と退避位置とにスイング駆動されるディスク再生用レバーを備えたディスク装置において、前記ディスク再生用レバーのスイング動作時に前記ピックアップの対物レンズをクリーニングするクリーニング部材を、前記装置筐体内における前記対物レンズの移動軌跡上に固定配置したことを特徴とするディスク装置。
【請求項２】
クリーニング部材は、装置筐体の天板下面にブラシホルダを介して固定保持され、ピックアップの対物レンズを当該対物レンズの移動軌跡上で摺接させてブラッシングする清掃ブラシからなっていることを特徴とする請求項１記載のディスク装置。
【請求項３】
クリーニング部材は、装置筐体内のディスクとは接触しない位置に固定配置されていることを特徴とする請求項１または請求項２記載のディスク装置。
【請求項４】
クリーニング部材は、装置筐体の天板に設けられた取付穴に外側から着脱可能に嵌着保持されていることを特徴とする請求項１から請求項３のうちのいずれか１項記載のディスク装置。
【発明の詳細な説明】
【技術分野】
【０００１】
この発明は、ピックアップの対物レンズのクリーニング手段を改良したディスク装置に関するものである。
【背景技術】
【０００２】
ピックアップを備えた従来のディスク装置として、装置筐体内にディスクが装着された状態でも前記ピックアップの対物レンズをクリーニングできるようにするために、ブラシ状のクリーナをクリーナシャフトに固定し、このクリーナシャフトをクリーナ取付専用のシャーシに回転自在に軸支し、そのクリーナシャフトに嵌着されたギアとモータの出力軸に嵌着されたギアとを噛合させることにより、前記モータで前記クリーナを回転駆動する構成としたものは既に知られている（例えば、特許文献１参照）。
【０００３】
【特許文献１】特開平５−１６６２１７号公報（〔００２０〕から〔００２２〕、図１）
【発明の開示】
【発明が解決しようとする課題】
【０００４】
従来のディスク装置は以上のように構成されているので、クリーナ取付専用のシャーシやクリーナの回転支持機構およびクリーナを回転駆動するモータなど大がかりな格別の機構を必要として構成が複雑でコスト高になり、かつクリーナ系統の組み付け占有面積が大きくなると共に、クリーナの回転制御手段も必要になるなどの課題があった。
【０００５】
この発明は上記のような課題を解決するためになされたもので、格別な機構を必要とせずにピックアップの対物レンズを自動的にクリーニングすることができるディスク装置を得ることを目的とする。
【課題を解決するための手段】
【０００６】
この発明に係るディスク装置は、ディスク載置用のターンテーブルおよびピックアップが搭載されて装置筐体内に軸支され、ディスク再生位置と退避位置とにスイング駆動されるディスク再生用レバーを備えたディスク装置において、前記ディスク再生用レバーのスイング動作時に前記ピックアップの対物レンズをクリーニングするクリーニング部材を、前記装置筐体内における前記対物レンズの移動軌跡上に固定配置したものである。
【発明の効果】
【０００７】
この発明によれば、ディスク再生用レバーのスイング動作時にピックアップの対物レンズをクリーニングするためのクリーニング部材を装置筐体内における前記対物レンズの移動軌跡上に固定配置するように構成したので、前記クリーニング部材以外に格別の機構を必要とせずに構成が簡単で部品点数の減少およびコスト低減が図れると共に、前記ディスク再生用レバーのスイング動作によって前記対物レンズを前記クリーニング部材でクリーニングすることができるという効果がある。
【発明を実施するための最良の形態】
【０００８】
実施の形態１．
図１はこの発明の実施の形態１によるディスク装置を一部切欠して示す外観斜視図、図２は図１のＡ部拡大斜視図、図３は図１の概略断面図、図４は図１のディスク装置の天板を除いたディスク再生待機状態を示す平面図、図５はディスク再生時の状態を示す平面図、図６はディスク再生用レバーを示す平面図である。
図１に示すディスク装置は、前面にディスク挿排口１ａを有する装置筐体１と、この装置筐体１の上部を覆う天板２とを備え、前記装置筐体１内にはディスク再生用レバー３が配置されている。このディスク再生用レバー３は、長手方向一端部が前記装置筐体１の底部に軸４（図３参照）で水平回動可能に支持され、図示しない駆動手段によってディスク再生位置と退避位置とにスイング駆動されるようになっている。このようなディスク再生用レバー３には、ディスク載置用のターンテーブル５およびターンテーブル駆動モータ（図示せず）とピックアップ６およびピックアップ駆動機構７が搭載されている。
【０００９】
前記ピックアップ駆動機構７は、ピックアップ駆動モータ８と、このピックアップ駆動モータ８によって定位置で回転駆動されるスクリューシャフト９と、このスクリューシャフト９に螺合されて前記ターンテーブル５の接近乃至離間する方向へ駆動されるネジ送り駒（ネジ送りキャリッジ）１０とからなり、そのネジ送り駒１０に前記ピックアップ６が保持されている。
【００１０】
そして、前記装置筐体１内の所定位置には前記ピックアップ６の対物レンズ６ａをクリーニングするクリーニング部材１１（図２参照）が固定配置されている。この実施の形態１において、前記クリーニング部材１１は、アダプタ１２に植毛された清掃ブラシからなり、前記天板２の裏面にブラシホルダ１３を介して前記アダプタ１２を固定保持させた構造となっている。さらに詳しく説明すると、前記クリーニング部材１１は、前記装置筐体１内に装着されたディスク１４と接触しない領域で且つ前記ディスク再生用レバー３のスイング動作時における前記対物レンズ６ａの移動軌跡上に位置して当該対物レンズ６ａが摺接するように前記天板２の裏面に固定配置されているものである。
【００１１】
次に動作について説明する。
図４に示すようにディスク再生用レバー３が退避位置にあってピックアップ６がターンテーブル５への接近位置に保持された状態において、前記ディスク再生用レバー３がディスク再生方向にスイング駆動されると、そのディスク再生用レバー３と共に前記ピックアップ６がディスク再生方向へ移動し、当該ピックアップ６の対物レンズ６ａがその移動軌跡上に位置するクリーニング部材１１に摺接することにより、そのクリーニング部材１１によって前記対物レンズ６ａがクリーニングされる。また、前記ディスク再生用レバー３がディスク再生位置から退避方向にスイング駆動される場合にあっても、前記クリーニング部材１１によって前記対物レンズ６ａが同様にクリーニングされる。
【００１２】
以上説明した実施の形態１によれば、ディスク再生用レバー３のスイング動作時におけるピックアップ６の移動軌跡上に位置して当該ピックアップ６の対物レンズ６ａを摺接させるクリーニング部材１１を装置筐体１の天板２裏面に固定配置するようおに構成したので、前記クリーニング部材１１以外の格別の機構を必要とせずに構成が簡単で部品点数の減少およびコスト低減が図れると共に、前記ディスク再生用レバー３のスイング動作のみによって前記対物レンズ６ａを前記クリーニング部材１１でクリーニングすることができるという効果がある。また、前記クリーニング部材１１は、前記装置筐体１内に装着されたディスク１４とは接触しない位置に固定配置されているので、前記装置筐体１内にディスク１４が装着されたままの状態でも前記対物レンズ６ａを前記クリーニング部材１１との摺接によるブラッシングによってクリーニングできるという効果がある。
【００１３】
実施の形態２．
図７はこの発明の実施の形態２によるディスク装置を示す概略的な斜視図であり、図１から図６と同一部分には同一符号を付して重複説明は省略する。
前記実施の形態１では、天板２の裏面にクリーニング部材１１を固定配置したが、この実施の形態２では、前記天板２にクリーニング部材１１を取り付けるための取付穴１５を設け、この取付穴１５に外側からクリーニング部材１１のアダプタ１２のネック部を着脱可能に嵌着保持させるように構成したものである。
【００１４】
このように構成した実施の形態２によれば、天板２にクリーニング部材１１を装着した状態で前記実施の形態１の場合と同様の効果が得られることに加え、前記クリーニング部材１１を天板２に外側から着脱できるため、その天板２からクリーニング部材１１を取り外して当該クリーニング部材１１の汚れ具合を点検したり、当該クリーニング部材１１を洗浄もしくは交換することができるという効果がある。
【図面の簡単な説明】
【００１５】
【図１】この発明の実施の形態１によるディスク装置を一部切欠して示す外観斜視図である。
【図２】図１のＡ部分の拡大斜視図である。
【図３】図１の概略的な断面図である。
【図４】図１のディスク装置の天板を除いたディスク再生待機状態を示す平面図である。
【図５】ディスク再生時の状態を示す平面図である。
【図６】ディスク再生用レバーを示す平面図である。
【図７】この発明の実施の形態２によるディスク装置の概略的な分解斜視図である。
【符号の説明】
【００１６】
１  装置筐体、１ａ  ディスク挿排口、２  天板、３  ディスク再生用レバー、５  ターンテーブル、６  ピックアップ、６ａ  対物レンズ、７  ピックアップ駆動機構、８  ピックアップ駆動モータ、９  スクリューシャフト、１０  ネジ送り駒、１１  クリーニング部材、１２  アダプタ、１３  ブラシホルダ、１４  ディスク、１５  取付穴。
【図１】
2007172705.tif 000003
【図２】
2007172705.tif 000004
【図３】
2007172705.tif 000005
【図４】
2007172705.tif 000006
【図５】
2007172705.tif 000007
【図６】
2007172705.tif 000008
【図７】
2007172705.tif 000009